(57)【特許請求の範囲】
【請求項１】
マイクロフォンで集音されたアナログ音声信号をディジタル音声データに変換するＡ／Ｄ変換回路と、このディジタル音声データを圧縮するディジタル圧縮回路と、この圧縮されたディジタル音声データを格納する内蔵固体メモリと、この内蔵固体メモリから読み出したディジタル音声データを伸長するディジタル伸長回路と、この伸長されたディジタル音声データをアナログ音声信号に変換するＤ／Ａ変換回路と、このアナログ信号を再生するための再生手段とを具え、前記内蔵固体メモリの代わりにまたはそれと共に圧縮されたディジタル音声データを格納する挿脱自在の外部メモリをも使用できるように構成されたディジタル式音声録音再生装置において、前記内蔵固体メモリおよび／または外部メモリに格納されている複数のディジタル音声データファイルの中から選択した任意の１つのディジタル音声データファイルを１回だけ再生する通常再生モードと、前記内蔵固体メモリおよび／または外部メモリに格納されている複数のディジタル音声データファイルの中から選択した任意の１つのディジタル音声データファイルを繰り返し再生する単独ファイルリピート再生モードと、前記内蔵固体メモリおよび／または外部メモリに格納されている複数のディジタル音声データファイルの中から選択される複数のディジタル音声データファイを連続して１回だけ再生する複数ファイル連続再生モードと、前記内蔵固体メモリおよび／または外部メモリに格納されている複数のディジタル音声データファイルの中から選択した複数のディジタル音声データファイルを繰り返し再生する複数ファイルリピート再生モードとを設けたことを特徴とするディジタル式音声録音再生装置。
【請求項２】
前記複数ファイルリピート再生モードにおいては、前記内蔵固体メモリおよび／または外部メモリに格納されている全ディジタル音声データファイルが繰り返し再生されるように構成したことを特徴とする請求項１に記載のディジタル式音声録音再生装置。
【請求項３】
前記複数ファイルリピート再生モードにおいては、前記内蔵固体メモリおよび／または外部メモリに格納されている複数のディジタル音声データファイルの中から選択した複数のディジタル音声データファイルが繰り返し再生されるように構成したことを特徴とする請求項１に記載のディジタル式音声録音再生装置。
【請求項４】
前記複数ファイルリピート再生モードにおいては、繰り返し再生される複数のディジタル音声データファイルの再生順序を指定できるように構成したことを特徴とする請求項１乃至３の何れかに記載のディジタル式音声録音再生装置。
【請求項５】
前記内蔵固体メモリには複数のディジタル音声データファイルに順番を付けて格納し、前記複数ファイル連続再生モードにおいては、前記内蔵固体メモリに格納されている複数のディジタル音声データファイルの中の指定されたディジタル音声データファイルから最後のディジタル音声データファイルまでを連続して再生するように構成したことを特徴とする請求項１乃至４の何れかに記載のディジタル式音声録音再生装置。
【請求項６】
前記複数ファイル連続再生または複数ファイルリピート再生モードによって複数のファイルを順次に再生しているときに、所望のディジタル音声データファイルが見つかったときには当該ディジタル音声データファイルを前記単独ファイルリピート再生モードで繰り返し再生できるように構成したことを特徴とする請求項１乃至５の何れかに記載のディジタル式音声録音再生装置。
【請求項７】
前記複数ファイル連続再生または複数ファイルリピート再生モードによって複数のファイルを順次に再生しているときに所望のディジタル音声データファイルが見つかったときには、複数ファイル連続再生または複数ファイルリピート再生モードを中断し、ディジタル音声データファイルの単独ファイルリピート再生モードでの繰り返し再生を停止したときに、中断していた複数ファイル連続再生または複数ファイルリピート再生モードを再開するように構成したことを特徴とする請求項６に記載のディジタル式音声録音再生装置。
【発明の詳細な説明】
【０００１】
【発明の属する技術分野】
本発明は、マイクロフォンで集音されたアナログ音声信号をディジタル音声データに変換するＡ／Ｄ変換器と、このディジタル音声データを圧縮するディジタル圧縮回路を、この圧縮されたディジタル音声データを格納する内蔵固体メモリと、この内蔵メモリから読み出したディジタル音声データを伸長するディジタル伸長回路と、この伸長されたディジタル音声データをアナログ音声信号に変換するＤ／Ａ変換器と、このアナログ音声信号を再生する再生手段とを具えるディジタル式録音再生装置に関するものである。
【０００２】
【従来の技術】
従来より音声情報の記録再生には、磁気テープを用いるテープレコーダが広く用いられてきた。しかしながら、テープレコーダは機械的な駆動部分を有しているので、駆動部分の定期的なメンテナンスが必要であること、また、小形、軽量化が難しく携帯に不便であるとともに電力消費も大きく電池交換を頻繁に行わなければならないといった取扱上の問題だけでなく、磁気テープ自体の伸びや切断など、劣化する問題があるとともに、記録された音声情報の中から所望する情報を検索することが面倒であるといった機能上の問題もあった。
【０００３】
さらに、光磁気を利用したものなども提案されているが、記録媒体自体の劣化による不都合はないが、記録媒体を駆動したり、記録再生ヘッドを駆動するための機械部品が必要なため、振動や衝撃に弱いという問題があった。
【０００４】
このような問題を解決するものとして、音声情報の記録媒体として固体メモリを内蔵したディジタル式音声録音再生装置が開発されている。このようなディジタル式音声録音再生装置は、例えば特開平２−２３８５００号公報に記載されている。この既知のディジタル式音声録音再生装置においては、内蔵メモリとしてＥＥＰＲＯＭのような半導体メモリを用い、アナログ音声信号をディジタル変換した後、圧縮して得られるディジタル音声データを半導体メモリへ格納し、この半導体メモリから読み出したディジタル音声データを伸長した後、アナログ音声信号に変換してスピーカやイヤホーンで再生するようになっている。
【０００５】
このようにディジタル式音声録音再生装置においては、音声情報を圧縮したディジタル音声データを半導体メモリに格納しているので、機械的な駆動部分が必要でなくなり、小形、軽量化が可能であり、携帯に非常に便利であるとともに記録した音声情報のランダムアクセスが可能であるので、所望する情報を素早く再生することができるという利点がある。さらに、ディジタル音声データに色々のディジタル情報を付加して記録することができるので、例えば記録した音声情報に特定の認識データを付けることができ、所望する音声情報検索を行なう際に有用である。
【０００６】
上述したディジタル式音声録音再生装置においては、録音時には、装置に内蔵した固体メモリ、例えば半導体メモリに音声情報を圧縮したディジタル音声データとして格納しているが、録音時間を長くしたり、録音したデータを他の同様の装置またはコンピュータへ入力するために外部メモリを挿脱自在に接続し、この外部メモリにディジタル音声データを格納するようにしている。この外部メモリとしては種々のメモリが提案されており、例えば特開平９−６２８１１号公報や特開平１０−１１１９１７号公報には、ＰＣカードやリムーバブルメモリなどの半導体メモリを外部メモリとして使用することが提案されている。このような外部メモリを使用する場合には、これを内蔵固体メモリの代わりに使用する場合と、内蔵固体メモリと一緒に用いる場合とが考えられる。後者の場合には、内蔵固体メモリと外部メモリとが一体となって一つの記録エリアを構成しているものとが考えられる。
【０００７】
上述したようにディジタル式音声録音再生装置においては、従来の磁気テープカセットを用いる音声録音再生装置に比べて、ランダムアクセスが可能であるという特長があり、この特長を生かして同じディジタル音声データファイルを繰り返し再生するリピート機能が設けられている。例えば、特開平１０−１８７２００号公報においては、内蔵固体メモリに格納されている任意のディジタル音声データファイルを繰り返し再生するリピート再生について記載されている。
【０００８】
【発明が解決しようとする課題】
しかしながら、従来のリピート機能付きのディジタル式音声録音再生装置においては、選択された一つのディジタル音声データファイルしか繰り返し再生することができないので、複数のディジタル音声データファイルがメモリに格納されている場合に、所望のファイルを探し出す際には余り役に立たないという問題がある。
【０００９】
このような不具合を解決するために、内蔵固体メモリに格納されている複数のディジタル音声データファイルを連続して再生できるようにした複数ファイル連続再生機能を付加したディジタル式音声録音再生装置も提案されている。このような複数ファイル連続再生機能を有するディジタル式音声録音再生装置において、内臓固体メモリに格納された複数のディジタル音声データファイルの中から所望のファイルを探し出す手間は軽減されるが、複数のファイルを１回しか連続再生しないので、この１回の連続再生中に聞き逃すと再び連続再生をやり直す必要があり、操作性が悪いという問題がある。
【００１０】
さらに、このような連続再生機能と上述したリピート機能との双方を有するディジタル式音声録音再生装置においても、リピート再生が優先されており、複数のディジタル音声データファイルを連続再生中にリピート釦を押すと、そのときに再生されているファイルが繰り返し再生されるだけであるので、このファイルが所望のファイルではない場合には、再び連続再生操作をやり直す必要があり、やはり操作性が悪いという問題は解消できない。
【００１１】
また、ディジタル式音声録音再生装置の使用態様の一つとして、店頭における宣伝用の音声を繰り返し再生するものがあるが、従来のリピート再生機能では１つのディジタル音声データファイルしか繰り返し再生することができないので、用途が制限されてしまう欠点がある。すなわち、複数のディジタル音声データファイルを繰り返し再生することによって宣伝効果をより高めたり、使い勝手を向上できる可能性がある場合にも、そのような使用法ができないという問題がある。例えば、毎日毎日再生して使用できるメッセージと、日毎に変えたいメッセージとがあるが、従来のディジタル式音声録音再生装置では、日毎に変えたいメッセージが含まれている場合には、必ずファイルを変更しなければならず、使い勝手が悪いという問題がある。
【００１２】
本発明の目的は、上述した従来に欠点を除去し、メモリに格納された複数のディジタル音声データファイルから所望のファイルを探し出す動作を簡単な操作で行うことができ、複数のディジタル音声データファイルから成るメッセージを繰り返し再生できるようにしたディジタル式音声録音再生装置を提供しようとするものである。
【００１３】
【課題を解決するための手段】
本発明は、マイクロフォンで集音されたアナログ音声信号をディジタル音声データに変換するＡ／Ｄ変換回路と、このディジタル音声データを圧縮するディジタル圧縮回路と、この圧縮されたディジタル音声データを格納する内蔵固体メモリと、この内蔵固体メモリから読み出したディジタル音声データを伸長するディジタル伸長回路と、この伸長されたディジタル音声データをアナログ音声信号に変換するＤ／Ａ変換回路と、このアナログ信号を再生するための再生手段とを具え、前記内蔵固体メモリの代わりにまたはそれと共に圧縮されたディジタル音声データを格納する挿脱自在の外部メモリをも使用できるように構成されたディジタル式音声録音再生装置において、前記内蔵固体メモリおよび／または外部メモリに格納されている複数のディジタル音声データファイルの中から選択した任意の１つのディジタル音声データファイルを１回だけ再生する通常再生モードと、前記内蔵固体メモリおよび／または外部メモリに格納されている複数のディジタル音声データファイルの中から選択した任意の１つのディジタル音声データファイルを繰り返し再生する単独ファイルリピート再生モードと、前記内蔵固体メモリおよび／または外部メモリに格納されている複数のディジタル音声データファイルの中から選択される複数のディジタル音声データファイを連続して１回だけ再生する複数ファイル連続再生モードと、前記内蔵固体メモリおよび／または外部メモリに格納されている複数のディジタル音声データファイルの中から選択した複数のディジタル音声データファイルを繰り返し再生する複数ファイルリピート再生モードとを設けたことを特徴とするものである。
【００１４】
上述した本発明によるディジタル式音声録音再生装置においては、内蔵固体メモリおよび／または外部メモリに格納された複数のディジタル音声データファイルを繰り返し再生できる複数ファイルリピート再生機能を設けたため、複数のファイルの中から所望のファイルを見つける作業を簡単に行うことができる。さらに、複数のディジタル音声データファイルを繰り返し再生できるので、上述した店頭での宣伝の場合に、宣伝メッセージの作成が容易となり、使い勝手が向上する。
【００１５】
本発明によるディジタル式音声録音再生装置においては、複数ファイルリピート再生モードにおいては、内蔵固体メモリおよび／または外部メモリに格納されている全ディジタル音声データファイルまたは予め指定した複数のディジタル音声データファイルが繰り返し再生されるように構成することができる。
【００１６】
さらに本発明によるディジタル式音声録音再生装置においては、内蔵固体メモリおよび／または外部メモリには複数のディジタル音声データファイルに順番を付けて格納し、前記複数ファイル連続再生モードにおいては、前記内蔵固体メモリに格納されている複数のディジタル音声データファイルの中の指定されたディジタル音声データファイルから最後のディジタル音声データファイルまでを連続して再生するように構成するのが好適である。このように構成することによって、再生する必要のないファイルは再生されないので、検索時間は短縮されると共に検索の精度も上がるという利点が得られる。
【００１７】
また、本発明によるディジタル式音声録音再生装置においては、複数ファイル連続再生または複数ファイルリピート再生モードによって複数のファイルを順次に再生しているときに、所望のディジタル音声データファイルが見つかったときには当該ディジタル音声データファイルを前記単独ファイルリピート再生モードで繰り返し再生できるように構成するのが好適である。このように構成すると、複数ファイル連続再生または複数ファイルリピート再生モードによる複数のファイルの再生中に所望のディジタル音声データファイルが見つかったと思われたときに、このファイルの内容を繰り返し聞くことができるので、所望のファイルを正確かつ確実に検索することができる。
【００１８】
【発明の実施の形態】
図１は、本発明によるディジタル式音声録音再生装置の基本的な構成を示すブロック図であり、図２は同じくその外観を示す正面図である。マイクロホン１１で集音した音声信号をアナログ音声信号処理回路１２で適当に処理した後、Ａ／Ｄ変換器１３でディジタル音声データに変換する。この場合のサンプリングは、例えば８ビット、８ＫＨｚとすると、サンプリング定理によれば、４ＫＨｚ以下の音声信号を忠実に再現することができ、少なくとも言語の再生には十分である。
【００１９】
次に、Ａ／Ｄ変換器１３からのディジタル音声データを圧縮回路１４へ供給して得られる圧縮されたディジタル音声データをメイン処理ユニット１５に設けられた中央処理ユニット（ＣＰＵ）１６の制御の下で、データバス１７を介して内臓メモリ１８または着脱自在の外部メモリとして使用される挿脱自在のリムーバブルメモリ１９の何れかに記録する。例えば、リムーバブルメモリ１９が挿入されているときには、このリムーバブルメモリへ優先的に記録されるように構成することができるが、ユーザが何れかを指定しても良い。
【００２０】
さらに、各種のコマンドや指示情報を表示するために液晶表示器２０と、ユーザがコマンドを入力するための操作スイッチ２１と、装置全体に給電するバッテリ２２とを設ける。また、メイン処理ユニット１５には、上述したＣＰＵ１６の他に、ＲＯＭ２３およびＲＡＭ２４を設ける。このＲＡＭ２４には、ディジタル音声データをメモリに格納する際に、データを記録したセクタのアドレス、データ量、分散情報などのデータ情報を記憶しておき、録音の終了時にこのデータ情報を内蔵メモリ１８または外部半導体メモリであるリムーバブルメモリ１９のＦＡＴ領域に記憶して書込を完了するようにしている。
【００２１】
次に、録音した音声データを再生する場合には、メイン処理ユニット１５の中央処理ユニット１６の制御の下で内蔵メモリ１８またはリムーバブルメモリ１９のＦＡＴ領域に記憶したデータ情報を先ず読み出してＲＡＭ２４に格納し、このデータ情報に基づいて所望のディジタル音声データを読み出し、伸張回路２５へ供給し、ここでデータの伸張を行う。伸張されたディジタルデータはＤ／Ａ変換器２６に入力され、アナログ音声信号に変換された後、アナログ音声信号処理回路２７よりスピーカー２８へ供給され、音声として再生することができる。勿論、スピーカー２８の代わりにイヤーホーンで再生するためにジャックを設けても良い。
【００２２】
図２に示すように、ディジタル式音声録音再生装置にはＬＥＤ２９を設け、録音中および再生中はこれを点灯させるようにしており、各々のモードで点灯色を変えている。例えば、録音中は赤色、再生中は緑色の点灯を行うことができる。さらに、操作スイッチ２１としては、録音釦２１ａ、再生釦２１ｂ、停止釦２１ｃ、消去釦２１ｄの他に、ホールド／リピート釦２１ｅ、メニュー釦２１ｆ、ディジタル音声データのファイル番号を読み出すためのファイル釦２１ｇ、ディジタル音声データのファイル番号を昇降するためのアップ／ダウンのセレクト釦２１ｈおよび２１ｉが設けられている。
【００２３】
以上の基本的な構成は、従来のディジタル式音声録音再生装置と同様である。本例では、メニューの中に、１つのディジタル音声データファイルを１回だけ再生する通常の再生モード（これはデフォルトとなっている）と、１つのディジタル音声データファイルを繰り返し再生する通常の単独ファイルリピートモードと、複数のディジタル音声データファイルを１回だけ連続的に再生する複数ファイル連続再生モードと、複数のディジタル音声データファイルを繰り返し再生する複数ファイルリピート再生モードとを設け、それらの何れかを選択できるように構成する。
【００２４】
通常の再生モードが選択されたときの動作は従来のものと全く同じであるので説明は省略する。また、複数ファイル連続再生モードでの動作も従来とほぼ同様であるが、一部相違している。さらに、複数ファイルリピート再生モードは従来にない機能である。したがって、複数ファイル連続再生モードおよび複数ファイルリピート再生モードの動作について説明する。ただし、以下の説明では簡単のために、内蔵固体メモリ１８に複数のディジタル音声データファイルが格納されており、これら複数のファイルを再生するものとして説明するが、本発明はこれに限定されるものではなく、外部メモリであるリムーバブルメモリ１９に格納されている複数のファイルを再生したり、内蔵固体メモリ１８およびリムーバブルメモリ１９に格納されている複数のファイルを再生することもできる。
【００２５】
図３は、複数ファイル連続再生モードでの動作を示すフローチャートである。このモードが選択されたときは、内蔵固体メモリ１８のＦＡＴ領域に記憶されているデータ管理情報からメモリに格納されている全ファイルのファイル番号を読み出し（ステップＳ１）、次に最初に再生すべきファイルのファイル番号（これはユーザによって指定される）を設定した（ステップＳ２）後、最初のファイルを再生する（ステップＳ３）。このファイルの再生中には、停止信号があるか否かをチェックしており（ステップＳ４）、停止信号が入力された場合には、直ちに再生を終了する。
【００２６】
一方、停止信号が入力されることなく最初のファイルの再生が終了したら、ファイル番号を１つ増やし（ステップＳ５）、この増やしたファイル番号が最初に読み出した全ファイルの番号の中にあるか否かをチェックし（ステップＳ６）、読み出したファイル番号の中にはないと判定された場合には、さらにステップＳ５に戻ってファイル番号をさらに１つ増やす。このようにして一つづつ増やしたファイル番号が読み出したファイル番号の中にあると判定された場合には、最後のファイル番号に１を加えた数に等しいか否かを判別し（ステップＳ７）、そうでない場合にはこの番号を増やしたファイルを再生する。
【００２７】
一方、ステップＳ７において、１つ増やされたファイル番号が読み出されたファイル番号の中で最も大きいファイル番号、すなわち最後のファイル番号に１を加えた数に等しいと判断された場合には、複数ファイル連続再生モードを終了する。このように本例では、ユーザが指定したファイルから最後のファイルまでを連続して再生することができるので、明らかにチェックする必要のないファイルは再生されることがないので、検索を迅速に行うことができると共に検索の精度も向上することになる。また、図３のフローチャートでは示していないが、複数ファイル連続再生モードが選択されたときには、内蔵固体メモリ１８に格納されている全てのファイルを連続して再生するように構成しても良い。この場合には、ステップＳ２において、読み出された全てのファイル番号の中から最も小さいファイル番号を最初に再生すべきファイルの番号として設定すれば良い。
【００２８】
図４は、複数ファイルリピート再生モードが選択されたときの動作を示すフローチャートである。本例では、内蔵固体メモリ１８に格納されている全てのディジタル音声データファイルを繰り返し再生するものである。内蔵固体メモリ１８のＦＡＴ領域に記憶されているデータ管理情報からメモリに格納されている全ファイルのファイル番号を読み出し（ステップＳ１）、次にこれらのファイルの中で最も小さいファイル番号を最初のファイル番号として抽出し（ステップＳ２）た後、この最初のファイルを再生する（ステップＳ３）。このファイルの再生中には、停止信号があるか否かをチェックしており（ステップＳ４）、停止信号が入力された場合には、直ちに再生を終了する。
【００２９】
一方、停止信号が入力されることなく最初のファイルの再生が終了したら、ファイル番号を１つ増やし（ステップＳ５）、この増やしたファイル番号が最初に読み出した全ファイルの番号の中にあるか否かをチェックし（ステップＳ６）、読み出したファイル番号の中にはないと判定された場合には、さらにステップＳ５に戻ってファイル番号をさらに１つ増やす。このようにして１つづつ増やしたファイル番号が読み出したファイル番号の中にあると判定された場合には、最後のファイル番号に１を加えた数に等しいか否かを判別し（ステップＳ７）、そうでない場合にはこの番号を増やしたファイルを再生する。
【００３０】
一方、ステップＳ７において、１つ増やされたファイル番号が最後のファイル番号に１を加えた数に等しいと判断された場合には、停止信号があるか否かをチェックし（ステップＳ８）、停止信号が入力された場合には、直ちに再生を終了する。一方、停止信号が入力されない場合には、ステップＳ２に戻って最も小さいファイル番号を設定し、続いて上述したステップＳ３〜Ｓ８を繰り返す。この動作は、停止信号が入力されるまで繰り返されるので、内蔵固体メモリ１８に格納されている全てのファイルを繰り返し再生する複数ファイルリピート再生を行うことができる。
【００３１】
さらに、本実施例では上述した複数ファイル連続再生モードまたは複数ファイルリピート再生モードでの動作が行なわれているときに、所望のファイルが再生されていると判断される場合に、リピート釦２１ｅを押すと、複数ファイル連続再生モードまたは複数ファイルリピート再生モードが中断されると共に単独ファイルリピート再生モードとなり、当該ファイルが繰り返し再生される。このようにして所望のファイルであるかどうかの確認を容易かつ正確に行うことができる。この場合、リピート再生されるファイルが所望のファイルではないと判断されたり、次の所望のファイルを検索したい場合には、リピート釦２１ｅを再度押すか、停止釦２１ｃを押すことによって中断していた複数ファイル連続再生モードまたは複数ファイルリピート再生モードが再開されるように構成されている。
【００３２】
本発明は上述した実施例にのみ限定されるものではなく、幾多の変更や変形が可能である。例えば、複数ファイル連続再生モードを開始させる釦や、複数ファイルリピート再生モードを開始させる釦を操作キー２１の中に設けることもできる。さらに、上述した実施例では、複数ファイルリピート再生モードでは、メモリに格納した複数のディジタル音声データファイルをファイル番号が小さい順に繰り返し再生するようにしたが、再生されるファイルの順番を指定できるように構成することもできる。
【００３３】
【発明の効果】
上述したように本発明によるディジタル式音声録音再生装置によれば、内蔵固体メモリおよび／または外部メモリに格納されている複数のディジタル音声データファイルの中の所望のファイルを繰り返し再生する単独ファイルリピート再生モードおよびこれらの複数のファイルを連続的に再生する複数ファイル連続再生モードの他に、これらの複数のディジタル音声データファイルを繰り返し再生する複数ファイルリピート再生モードを設けたものであるから、複数のファイルの中から所望のファイルを検索するための操作性が向上し、所望のファイルを短時間で、しかも容易かつ正確に検索することができる。
【００３４】
さらに、上述した実施例では、複数ファイルリピート再生モードにおいては、メモリに格納されている複数のファイルの中から選択した複数のファイルを繰り返し再生するようにしたので、ファイル検索だけではなく、複数のファイルによって構成されるメッセージを繰り返し再生することができるので、例えば店頭における宣伝用の音声メッセージとして使用する場合にきわめて便利となる。この場合、特に繰り返し再生されるファイルの再生順番を任意に選択できるようにすればさらに使い勝手の良いものとなる。
【図面の簡単な説明】
【図１】図１は、本発明によるディジタル式音声録音再生装置の基本的な構成を示すブロック図である。
【図２】図２は、本発明によるディジタル式音声録音再生装置の一実施例の外観を示す正面図である。
【図３】図３は、本発明における複数ファイル連続再生モードの動作を示すフローチャートである。
【図４】図４は、本発明における複数ファイルリピート再生モードの動作を示すフローチャートである。
【符号の説明】
１１  マイクロホン、  １２  アナログ音声信号処理回路、  １３  Ａ／Ｄ変換器、１４  圧縮回路、  １５  メイン処理ユニット、  １６  中央処理ユニット、  １７  データバス、  １８  内蔵固体メモリ、  １９  リムーバブルメモリ、２０  表示器、  ２１  操作スイッチ、  ２２  バッテリ、  ２３  ＲＯＭ、  ２４  ＲＡＭ、  ２５  伸張回路、  ２６  Ｄ／Ａ変換器、  ２７  アナログ音声信号処理回路、  ２８  スピーカ、  ２９  ＬＥＤ
【図１】
0003611985.tif 000002
【図２】
0003611985.tif 000003
【図３】
0003611985.tif 000004
【図４】
0003611985.tif 000005